(57)【要約】【課題】勾配方向において下流側の平板屋根材の棟側上面部に上流側の平板屋根材の軒側下面部を重ね合わせるようにした屋根葺き構造において、捨て板機能をも有する水切り板を提供して、屋根板材の製造効率や現場での屋根葺きの作業効率が向上し、屋根葺きにおける全般的なコスト低減化を図る。【解決手段】勾配方向において下流側の平板屋根材の棟側上面部に上流側の平板屋根材の軒側下面部を順次重ね合わせてなす屋根葺き構造における軒先水切り板を、屋根の軒先側の端部における平板屋根材と屋根下地との間に介装される本体部と、軒先の側端部を臨むように配設される水切り部と、前記本体部に凸設形成され平板屋根材を保持する捨て板部とで一体構成することにより上記課題を解決する。【選択図】　　図１
2004019396.tif 000002
【特許請求の範囲】
【請求項１】
勾配方向において下流側の平板屋根材の棟側上面部に上流側の平板屋根材の軒側下面部を順次重ね合わせてなす屋根葺き構造における軒先水切り板であって、屋根の軒先側の端部における平板屋根材と屋根下地との間に介装される本体部と、軒先の側端部を臨むように配設される水切り部と、前記本体部に凸設形成され平板屋根材を保持する捨て板部と、を具えたことを特徴とする捨て板機能を有する軒先水切り板。
【請求項２】
請求項１において、前記本体部、水切り部および前記本体部に凸設形成される捨て板部は一体に形成したことを特徴とする捨て板機能を有する軒先水切り板。
【請求項３】
請求項２において、前記捨て板部は葺かれる平板屋根材の厚さに対応する所定高さを有しその保持する平板屋根材の裏面に当接する平面頂部と、この平面頂部に延設される斜面部と、を具えたことを特徴とする捨て板機能を有する軒先水切り板。
【請求項４】
請求項２又は３のいずれかにおいて、軒先水切り板を金属材により長尺状に形成したことを特徴とする捨て板機能を有する軒先水切り板。
【請求項５】
請求項４において、金属材による形成はアルミ材の押し出し成形であることを特徴とする捨て板機能を有する軒先水切り板。
【発明の詳細な説明】
【０００１】
【発明の属する技術分野】
本願発明は、スレートかわら等の平板屋根材による屋根葺きにおける軒先水切り板に関し、詳しくは軒先の水切り機能とスターターとも称される捨て板の機能とを併せ有する軒先水切り板に関するものである。
【０００２】
【従来技術】
従来のスレートかわら等の平板屋根材は、全面が同一厚みの平板形状をなしており、これを用いた屋根葺きは平板屋根材の棟側の端部近傍を釘打ちにより固定し、横方向では隣り合う平板屋根材の側端部同士を突き合わせ、勾配（軒棟）方向においては下流側の平板屋根材の棟側上面部に上流側の平板屋根材の軒側下面部を重ね合わせるようにして施工されている。
【０００３】
図３は、平板屋根材による従来の屋根葺きにおける軒先部分を示す断面図である。
図３において、５は屋根面であり、１は屋根面５に敷設されるスレート瓦である。　２はスレート瓦１を屋根面５に固定するための釘であり、各スレート瓦１の上部両縁に打ち込まれている。　スレート瓦１は、水平方向にそれぞれ側端部同士を突き合わせるように並設され、屋根面５の勾配方向で下流側（軒側）から上流側（棟側）にかけては、前列のスレート瓦１に下流側端が重なるように敷設されている。　３はスターターとも称される捨て板であり、軒先に配設される最初のスレート瓦１ａの傾きをスレート瓦１ｂを始めこれに続く他のスレート瓦の傾きと同一にして、軒先におけるスレート瓦の安定的な固定および意匠上の見地から、屋根面５と最初のスレート瓦１ａとの間に釘止め等により固定されている。　また、４は軒先に設けられる軒先水切り板で、一端は屋根面５に固定され、先端折曲部分は軒端に臨み屋根から流下する雨水の水切りをなすようになっている。
【０００４】
【発明が解決しようとする課題】
しかしながら、上述の従来技術にあっては、次のような不都合が生じている。すなわち、前記捨て板は、スレート瓦等の屋根材の製造時に同質材により瓦とは別の工程で製造したものを用いたり、あるいは屋根葺きの施工現場で瓦を切断成形したもの用いている。
したがって、瓦の製造効率や現場での屋根葺きの作業効率に関して好ましからざる影響を与えており、屋根葺きにおける全般的なコスト増の原因ともなっている。　また、従来技術にあっては、各別部材である捨て板と水切り板とを、それぞれ別個の取り付け作業を要し、屋根葺きの施工効率を損なう原因ともなっている。
【０００５】
【課題を解決するための手段】
本願発明は、上記従来の課題を解決するためになされたもので、
勾配方向において下流側の平板屋根材の棟側上面部に上流側の平板屋根材の軒側下面部を順次重ね合わせてなす屋根葺き構造における軒先水切り板を、屋根の軒先側の端部における平板屋根材と屋根下地との間に介装される本体部と、軒先の側端部を臨むように配設される水切り部と、前記本体部に凸設形成され平板屋根材を保持する捨て板部とで構成することにより上記従来の課題を解決しようとするものである。
【０００６】
前記水切り板において、本体部、水切り部および前記本体部に凸設形成される捨て板部は一体に形成することがある。
【０００７】
また、前記水切り板において、捨て板部は葺かれる平板屋根材の厚さに対応する所定高さを有し、その保持する平板屋根材の裏面に当接する平面頂部と、この平面頂部に延設される斜面部と、を具えて構成することがある。
【０００８】
さらに、前記いずれかにおいて、軒先水切り板を金属材により長尺状に形成することがある。
【０００９】
またさらに、前記において、金属材による形成はアルミ材の押し出し成形となすことがある。
【００１０】
【発明の実施形態】
図面に基づいて本願発明に係る軒先水切り板の一実施形態を説明する。
図１は、軒先水切り板を使用した軒先構造の一部断面図である。　図において、１１は屋根下地部１４上に下葺き材（不図示）を介して設置される平板屋根材であり、これら平板屋根材１１、１１．．は、矢符に示す屋根勾配方向において下流側の平板屋根材１１の棟側上面部に上流側の平板屋根材１１の軒側下面部を重ね合わせて葺き工事がなされている。　１２は、屋根の軒先側の端部における平板屋根材１１ａと屋根下地との間に介装される軒先水切り板であり、この軒先水切り板１２により、平板屋根材１１ａは後続の平板屋根材１１ｂと同じ傾きを有して軒先における屋根材の安定的な固定がなされ、かつ軒先における意匠性を確保している。
【００１１】
図２は軒先水切り板１２を示す一部切欠斜視図であり、図示のように、屋根の軒先側の端部における平板屋根材と屋根下地との間に介装される本体部１２ａと、軒先の側端部に臨むように配設される水切り部１２ｂと、前記本体部１２ａに凸設形成され平板屋根材を保持する捨て板部１３とを具えている。
【００１２】
前記本体部１２ａ、水切り部１２ｂおよび本体部１２ａに凸設形成される捨て板部１３は、金属材その他の適宜材料により一体に形成するのが望ましく、この実施形態ではアルミ材の押し出し成形により、所定長さの長尺状に形成されており、施工現場で必要長さにカットして使用することもできる。
【００１３】
そして、前記捨て板部１３は、葺かれる平板屋根材１１の厚さに対応する所定高さを有し、その保持する平板屋根材の裏面に当接する平面頂部１３ａと、この平面頂部１３ａに延設される斜面部１３ｂと、立ち上がり部１３ｃを具えた台形状に形成されているが、形状は種々のものを採用できるし、平面頂部に替え突条部で平板屋根材を支持するようにしても良い。なお、立ち上がり部１３の高さを平板屋根材１１の厚さに対応させるべく、この実施形態では、立ち上がり部１３ｃの高さと平板屋根材１１の厚さとは同一寸法に設定されている。
【００１４】
軒先水切り板１２の取り付けにあたっては、屋根下地の軒先端部から約８０ｍｍ程度離間した位置に軒先水切り板１２の棟側端部をセットして、釘打ちにより屋根下地部１４に固定する。次いで、防水テープを軒先水切り板１２の平面頂部１３ａの上面を被覆するようにして棟側方向に軒先水切り板１２越しに屋根下地部１４まで帖設する。　そして、所定手順に従い、所要の屋根下葺き材を設置して平板屋根材の葺き作業を軒先部から上流方向に順次なしていく。軒先水切り板１２を取り付けるだけで、他に格別の捨て板取り付け作業を要しないから屋根葺き作業は、効率よく進めることができる。
【００１５】
【発明の効果】
本願発明は、以上説明したように、勾配方向において下流側の平板屋根材の棟側上面部に上流側の平板屋根材の軒側下面部を順次重ね合わせてなす屋根葺き構造における軒先水切り板を、屋根の軒先側の端部における平板屋根材と屋根下地との間に介装される本体部と、軒先の側端部を臨むように配設される水切り部と、前記本体部に凸設形成され平板屋根材を保持する捨て板部とで構成したので、屋根板材の製造効率や現場での屋根葺きの作業効率が向上し、屋根葺きにおける全般的なコスト低減化を実現できる。
【図面の簡単な説明】
【図１】本願発明の一実施形態に係る軒先水切り板を使用した軒先構造の一部断面図である。
【図２】図１に示す軒先水切り板の一部切欠斜視図である。
【図３】平板屋根材による従来の屋根葺きにおける軒先部分を示す断面図である。
【符号の説明】
１１．．．．．．．．．平板屋根材
１２．．．．．．．．．軒先水切り板
１２ａ．．．．．．．．本体部
１２ｂ．．．．．．．．水切り部
１３．．．．．．．．．捨て板部
１３ａ．．．．．．．．平面頂部
１３ｂ．．．．．．．．斜面部
１３ｃ．．．．．．．．立ち上がり部
【図１】
2004019396.tif 000003
【図２】
2004019396.tif 000004
【図３】
2004019396.tif 000005